(57)【特許請求の範囲】
【請求項１】
ケーシング内に配置された吸着筒と、該吸着筒を垂直方向に一端で支承する架台と、該吸着筒の他端に設けた吸着筒を通常は水平に支持するための脚部とからなり、該架台の回転方向前方に吸着筒の重心が回転の支点よりも前方にて吸着筒の回転を係止するためのストッパーを設けた吸着式油水分離装置。
【請求項２】
吸着筒の重心が後になった場合を顧慮して吸着筒の背面側とケーシング壁面との間に戻り防止ストッパーを設けたことを特徴とする請求項１記載の吸着式油水分離装置。
【発明の詳細な説明】
【０００１】
【発明の属する技術分野】
本発明は、区画されたケーシング内に吸着槽が設置された吸着式油水分離装置の構造に関するものである。特に、吸着槽内の活性炭などの吸着剤を効率よく交換させるものである。
【０００２】
【発明が解決しようとする課題】
従来の吸着式の油水分離装置では、吸着材が飽和状態に近づくと吸着性能が低下するために、吸着材を交換する必要があった。かかる場合に、吸着筒がケーシングで覆われている場合が多く、吸着材は一般的に上方向に引き出して交換するため、上方に引き出し空間を設ける必要がある。また吸着材交換時に吸着筒の上方の板を外して開放しなければならないという不都合がある。
そこで本発明はかかる従来技術の欠点に鑑みなされたもので、吸着材の交換が簡単であると共に装置内に特段引き出しスペースを設ける必要のない構造を提供しようとするものである。
【０００３】
【課題を解決するための手段】
すなわち本発明は、ケーシング内に配置された吸着筒と、該吸着筒を垂直方向に一端で支承する架台と、該吸着筒の他端に設けた吸着筒を通常は水平に支持するための脚部とからなり、該架台の回転方向前方に吸着筒の重心が回転の支点よりも前方にて吸着筒の回転を係止するためのストッパーを設けた吸着式油水分離装置により本目的を達成する。
請求項２の発明は、吸着筒の重心が後になった場合を顧慮して吸着筒の背面側とケーシング壁面との間に戻り防止ストッパーを設けた吸着式油水分離装置である。
【０００４】
【作  用】
本発明にかかる吸着装置の改良構造では、扉側に位置する吸着筒の下端に架台を介して支承しているので、その部分を支点として吸着筒は垂直方向に回転する。回転したとき、吸着筒の重心の鉛直線が支点よりも手前にくるようにストッパーを配置しているので、吸着筒は傾斜した状態にて係止される。従って、作業者は吸着筒の傾斜を保持することなく扉側に吸着材を抜き出して吸着材の交換を行うことができる。
また請求項２の発明では、吸着材を抜き終えた後に吸着筒の重心の位置は後方部へづれた時に吸着筒が後へ倒れるのを防止するべくストッパーを介して吸着筒を所定の角度で傾斜した状態に維持することができる。
【０００５】
【発明を実施するための形態】
以下に本発明を図示された実施例に従って詳細に説明する。
図１及び図２は、本発明にかかる装置の縦断面図であり、ケーシング１で覆われた室内には扉側（図中左側）から吸着槽２、分離槽３が設置されている。吸着筒２の下方は逆Ｌ字状の台４上に接合されており、該台４の扉側端部において架台５を介して支承している。そしてこの架台５と台４とで吸着筒２を通常状態において水平に支持している。吸着筒２の側面には吸着筒２を前方に傾斜させるための取っ手６が装着されている。
本実施例では、台４には連設してストッパー７を設けている。このストッパー７とケーシング基台との係止関係は吸着筒２の重心Ｇの鉛直下よりも支承の支点よりも前側に位置するように構成されている。
【０００６】
図３及び図４に示すものは本発明の第２実施例を示すもので、逆Ｌ字状の台４上には、扉側に吸着筒２及び分離槽３が載置されている。台４は架台５を介して支承されており、架台５より扉側の前方には台４を所定の角度にてその傾斜を維持するためのストッパー７が接合されている。
台４を支持する架台５の位置は、前述第１実施例と同様に台４に載置した吸着筒２及び分離槽３の全体の重心の位置の鉛直線よりも支点の位置がケーシング後方に位置するように設計されている。
また本実施例では、吸着筒２内の吸着材を除去した時に全体の重心位置が、後方に移動することを考慮して分離槽３の背面部に棒状のストッパー８の一端を枢着し、該ストッパー８の他端をケーシング内奥壁面に係止できるように構成されている。係止の方法としては、図２に示すようにストッパー８の他端をＬ字状に折り曲げ、該折り曲げ部分がケーシング内の筒状の引掛部９に嵌挿する構造からなる。
【０００７】
図５に示すものは台４と架台５の装着位置及び台４に設けたストッパー７の構造を具体的に示した部分拡大図であり、図５（１）では台４を架台５で軸支したものからなり、台４の扉側には水平方向に部材１０を連設したものからなる。
図５（２）に示すものは、台４の扉側先端部にＬ字状部材１１を接合したものと台４の後方端部下方に吸着筒２が通常状態において水平を維持できるように直方体状のブロック１２を接合したものからなる。
図５（３）に示すものは図２の実施例のものにおいて、吸着筒２が着脱できるように吸着筒２の架台５による支持が架台５に上部に加工されたＬ字状の溝１４を設け、該溝１４に軸１６を載置する構造からなる。尚、この実施例では吸着筒２を傾斜させた時に支点位置が、吸着筒２全体の重心位置よりも後方に位置するように水平溝部分が架台５の後方に向けて溝切りされている。
【０００８】
以上述べた構成において本発明にかかる装置の改良構造では、台４を介して軸支された吸着筒２は垂直方向に揺動可能であるため、吸着材の交換に際して、取っ手を持ち手動にて吸着筒２を手前に引き出す。すると吸着筒２の重心の鉛直線位置が架台５の支点よりも扉側（手前）に位置することになるために、吸着筒２は後戻りできない状態となる。さらに吸着筒２を傾斜させていくと台４の先端に設けたストッパー７が架台５の床部に係止されるために、揺動位置は制限される。
【０００９】
次に図３の実施例のものでは、吸着筒２を傾斜した状態で吸着材を取り除いた場合に吸着筒２全体の重心位置は前方向に移動する。すると場合により支点よりも重心の位置が、後方に位置するために吸着筒２が後戻りしようとして吸着材の取り替え作業に支障を来すことになる。そのため、あらかじめ棒状ストッパーを介してケーシング１の引き掛け部に係止することにより吸着筒２が後へ倒れるのを防止する。
【００１０】
また図５の実施例の（３）の場合には、吸着筒２が載置された台４が軸１６を介して架台５のＬ字状の溝１４に嵌挿されているので、吸着筒２を該縦溝に１４沿って軸１６と共に台４を上に持ち上げれば吸着筒２の取り外しが可能であるともに、吸着筒２を吸着材交換のために傾斜させる場合にはまず架台５の水平溝に沿って台を手前に移動させた後に該溝１４の端部を中心として吸着筒２を垂直方向に回転させる。すると傾斜した吸着筒２の重心Ｇは、該支点よりもかなり後方に位置することになるために吸着材の取り替えに際して吸着筒２が後方に倒れる可能性が極めて低くなり、作業者は安心して吸着材の取り替え作業を行うことができる。
【００１１】
【発明の効果】
以上述べたように本発明にかかる装置の改良構造は、吸着筒が揺動可能であるため吸着筒内の吸着材の取り替え作業に際して、吸着フィルターを上に取り出してもケーシング自体が邪魔になることはなく、フィルターの引き出しスペースを簡略でき、従来の吸着筒が固定されたものに比較してケーシングをコンパクトなものにすることができる。
【図面の簡単な説明】
【図１】  本発明の第１実施例を示す装置の縦断面図である。
【図２】  本発明の第１実施例の装置において吸着筒を傾斜させた状態を示す縦断面図である。
【図３】  本発明の第２実施例を示す装置の縦断面図である。
【図４】  本発明の第１実施例の装置において吸着筒を傾斜させた状態を示す縦断面図である。
【図５】  本発明の装置における台と架台との接続関係を示す概略正面図である。
【符号の説明】
１        ケーシング
２        吸着筒
３        分離槽
４        台
５        架台
６        取っ手
７        ストッパー
８        ストッパー
９        引き掛け部
１１      Ｌ字状部材
１４      溝
１６      軸
【図１】
0004369557.tif 000002
【図２】
0004369557.tif 000003
【図３】
0004369557.tif 000004
【図４】
0004369557.tif 000005
【図５】
0004369557.tif 000006